(57)【要約】【解決手段】園芸用ワゴン（１０１、１４０）は、本体（１２、１４２）と、本体の底面に回転可能に取り付けられる前輪および後輪の組（３６、４０、１５８、１６２）と、園芸用ワゴンの本体のフレームアセンブリ（１８２、４８）に取り付けられる上部棚（６２、１８４）および下部棚とを備える。上部棚および下部棚は、用具を受け入れるために垂直方向に位置合わせされた対応する開口部（６４、２００）およびスロット（６６）を備える。園芸用ワゴンはゴミ袋ホルダ（１０４、２０４）を備え、日傘（１１８）を備えてもよい。【選択図】図１
2010531762.tif 000002
【特許請求の範囲】
【請求項１】
底面と、前部および後部と、左右側面とを有する略長方形の本体と、
当該園芸用ワゴンの底面に回転可能に取り付けられる前輪および後輪の組と、
前記本体の前部に接続されたハンドルを有する前部プルバーと、
当該園芸用ワゴンの底面後部に取り付けられる一対の前部管状柱および一対の後部管状柱であって、上端部を有する管状柱と、
前記一対の前部柱および前記一対の後部柱の前記上端部で受け入れられかつ支持される４つの管状コーナースロットを備える略長方形の後上部棚と、
当該園芸用ワゴンの底面後部に配置される略長方形の後下部棚と、
を備える園芸用ワゴン。
【請求項２】
前部柱に枢動可能に取り付けられる少なくとも一つの折りたたみ式トレイをさらに備えることを特徴とする請求項１に記載の園芸用ワゴン。
【請求項３】
当該園芸用ワゴンの後部柱の上部に取り付けられるゴミ袋ホルダをさらに備えることを特徴とする請求項１に記載の園芸用ワゴン。
【請求項４】
前記一対の前部柱および前記一対の後部柱の前記上端部はそれぞれ、前記後上部棚の前記管状コーナースロットを受け入れかつ支持するための拡大された外部ショルダーを備えることを特徴とする請求項１に記載の園芸用ワゴン。
【請求項５】
前記後上部棚および前記後下部棚は、用具を受け入れるための垂直方向に位置合わせされた複数の対応開口部およびスロットを備えることを特徴とする請求項１に記載の園芸用ワゴン。
【請求項６】
前記少なくとも一つの折りたたみ式トレイは、上部折りたたみ式トレイおよび下部折りたたみ式トレイからなることを特徴とする請求項２に記載の園芸用ワゴン。
【請求項７】
前記少なくとも一つの折りたたみ式トレイは、上部ピボットで前部柱に枢動可能に取り付けられる長方形の支持上面と、トラス支持アームの中間にともに枢動可能に接続された上部リンクおよび下部リンクを有する少なくとも一つの折りたたみ式トラス支持アームとを備え、
支持アームの前記上部リンクは、トレイの前部に枢動可能に接続された上端を備え、支持アームの前記下部リンクは、支持アームの対応する上部ピボットの下方で前部柱の一つに対し下部ピボットで枢動可能に接続される下端を備え、
支持アームの前記上部リンクおよび前記下部リンクは、水平方向に折りたたみ式トレイを支持する延長された構成と、折りたたみ式トレイが折りたたまれる折りたたみ構成との間で駆動可能であることを特徴とする請求項２に記載の園芸用ワゴン。
【請求項８】
前記ゴミ袋ホルダは、後部柱の上部に固定取り付けされる略長方形の下部フープと、後部柱の上部に枢動可能に取り付けられるわずかに大きな長方形の枢動フープと、を備えることを特徴とする請求項３に記載の園芸用ワゴン。
【請求項９】
前記ゴミ袋ホルダがブラケットによって前記後上部棚の側面に取り付けられることを特徴とする請求項１に記載の園芸用ワゴン。
【請求項１０】
前記より大きなフープは、前記下部フープの上方に延びる上昇位置と、前記下部フープに隣接し近接する位置に延びる下降位置との間で移動可能であることを特徴とする請求項６に記載の園芸用ワゴン。
【請求項１１】
上部シェード部と下部支持柱とを有する日傘をさらに備え、前記下部支持柱は前記管状柱の一つの上端部に取り付けられることを特徴とする請求項１に記載の園芸用ワゴン。
【請求項１２】
前記日傘は、上昇した略直立の位置と下降位置との間で前記シェード部を移動するための調整ハンドルを有する調節可能なピボット取付を備えることを特徴とする請求項１に記載の園芸用ワゴン。
【請求項１３】
底面と、前部および後部と、左右側面とを有する略長方形の本体と、
当該園芸用ワゴンの底面に回転可能に取り付けられる前輪および後輪の組と、
前記本体の上面に取り外し可能に配置されるモジュール式上部フレームアセンブリと、
を備えることを特徴とする園芸用ワゴン。
【請求項１４】
前記本体の一端にスライド可能かつ枢動可能に接続されるプルバーをさらに備えることを特徴とする請求項１３に記載の園芸用ワゴン。
【請求項１５】
前記本体に接続された後方に向けられた一組の左右の細長いハンドルポストを備え、横ハンドル部材によって互いに接続された上端を有する後方に向けられたハンドルをさらに備えることを特徴とする請求項１３に記載の園芸用ワゴン。
【請求項１６】
前記モジュール式上部フレームアセンブリは、
相互接続された細長い部材のフレームと、
前記相互接続された細長い部材のフレームによって互いに接続される上部棚および下部棚と、
を備えることを特徴とする請求項１３に記載の園芸用ワゴン。
【請求項１７】
前記相互接続された細長い部材のフレームは、一組の左右の細長い支持具ポストと、後方に向けられた一組の左右の細長いハンドルポストとを備え、
前記左右の細長い支持具ポストは上端と下端とを有し、前記下端は前記下部棚の後面で棚の左右側面に取り付けられ、
前記後方に向けられた一組の左右の細長いハンドルポストは、前記下部棚の洗面で棚の左右側面に取り付けられ、
前記後方に向けられた一組の左右の細長いハンドルポストは、前記左右の細長い支持具ポストの前記上端に接続されることを特徴とする請求項１６に記載の園芸用ワゴン。
【請求項１８】
前記後方に向けられた一組の左右の細長いハンドルポストは、横ハンドル部材によって互いに接続された上端を有することを特徴とする請求項１７に記載の園芸用ワゴン。
【請求項１９】
前記上部棚および前記下部棚は、用具を受け入れるために互いに垂直方向に位置合わせされた複数の対応開口部およびスロットを備えることを特徴とする請求項１６に記載の園芸用ワゴン。
【請求項２０】
前記上部棚がゴミ袋ホルダアセンブリを備えることを特徴とする請求項１６に記載の園芸用ワゴン
【発明の詳細な説明】
【技術分野】
【０００１】
（関連出願の相互参照）
この出願は、２００７年４月２日に出願された米国仮特許出願第６０／９２１,３５２号に基づく。
【０００２】
本発明は園芸用ワゴンに関し、より詳細には、園芸用具、園芸用品および補給品を保管および搬送するための多目的園芸用ワゴンに関する。
【背景技術】
【０００３】
ガーデニングで通常使われる一般的なワゴンは、材料や用具を保管し搬送するための受け皿を持つ本体と、４つの車輪と、本体に取り付けられワゴンを望み通りに押したり引いたりできるフロントハンドルとを備える。
【０００４】
４つの車輪を有する４つの管状の脚部と、３つの長方形の棚またはバスケットを備える保管および搬送用の多段ワゴンも知られている。３つのバスケットのうち、２つの下部バスケットは４つの管状の脚部に取り付けられ支持されており、上部バスケットは４つの管状の脚部のうち２つのみで支持されている。園芸用ワゴンの他の既知の設計は、複数の区画を有するホイールフレームと、２つの後輪および２つのより小さな前輪と、ワゴンを引っ張るためのハンドルを有する折りたたみのトップとを備える。
【発明の概要】
【発明が解決しようとする課題】
【０００５】
園芸用具、用品および補給品を保管および搬送する際にＤＩＹ園芸家を支援し、調節可能なシェード、折りたたみ式トレイおよびゴミ袋取り付け部などの追加の有用性を提供可能な、より融通がきき多目的の園芸用ワゴンが必要とされている。本発明は、これらのおよび他の必要性を満たす。
【課題を解決するための手段】
【０００６】
簡潔にかつ一般的に述べると、本発明は、略長方形の本体、本体に回転可能に取り付けられる前輪および後輪の組、園芸用ワゴンの本体のフレームに取り付けられる上部棚および下部棚を備える園芸用ワゴンを提供する。
【０００７】
第１の好適な実施態様では、本発明は園芸用ワゴンを提供する。園芸用ワゴンは、底面と、前部および後部と、左右側面とを有する略長方形の本体と、園芸用ワゴンの底面に回転可能に取り付けられる前輪および後輪の組と、本体の前部に接続されたハンドルを有する前部プルバーと、園芸用ワゴンの底面後部に取り付けられる一対の前部管状柱および一対の後部管状柱であって、上端部を有する管状柱と、一対の前部柱および一対の後部柱の上端部で受け入れられかつ支持される４つの管状コーナースロットを備える略長方形の後上部棚と、園芸用ワゴンの底面後部に配置される略長方形の後下部棚と、を備える。少なくとも一つの折りたたみ式トレイが前部柱に枢動可能に取り付けられてもよい。園芸用ワゴンの後部柱の上部にゴミ袋ホルダが取り付けられてもよい。管状柱の一つの上端部に日傘が取り付けられてもよい。
【０００８】
好適な態様では、上部折りたたみ式トレイと下部折りたたみ式トレイが設けられる。各折りたたみ式トレイは、前部柱に枢動可能に取り付けられる長方形の支持上面と、少なくとも一つの折りたたみトラス支持アームとを備える。トラス支持アームは、互いに枢動可能に接続された上部リンクおよび下部リンクを備え、上部リンクの上端はトレイの前部に枢動可能に接続される。下部リンクの下端は前部柱の一つに対し枢動可能に接続され、その結果、支持アームの上部リンクおよび下部リンクは、水平方向に折りたたみ式トレイを支持する延長された構成と、折りたたみ式トレイが折りたたまれる折りたたみ構成との間で駆動可能になる。
【０００９】
別の態様では、後上部棚と後下部棚は、用具を受け入れるために垂直方向に位置合わせされた複数の対応開口部およびスロットを備える。別の態様では、ゴミ袋ホルダは後部柱の上部に固定取り付けされる下部フープと、後部柱の上端部に枢動可能に取り付けられるわずかに大きな枢動フープとを備える。より大きなフープは、下部フープの上方に延びる上昇位置と、下部フープに隣接し近接する位置に延びる下降位置との間で移動可能である。別の好適な態様では、日傘は、上昇した略直立の位置と下降位置との間でシェード部を移動するための調整ハンドルを有する調節可能な継ぎ手すなわちピボット取付を備える。
【００１０】
別の好適な態様では、本発明は、園芸用ワゴンの底面に回転可能に取り付けられる前輪および後輪の組を有する略長方形の本体と、本体の上面に取り外し可能に配置されるモジュール式上部フレームアセンブリと、を備える園芸用ワゴンを提供する。一つの好適な態様では、本体は、本体の一端にスライド可能かつ枢動可能に接続されるプルバーを備える。一変形例であるが、本体は、園芸用ワゴンを押すために本体に接続される後方に向けられたハンドルを備えてもよい。
【００１１】
好適な態様では、モジュール式上部フレームアセンブリは、相互接続された細長い部材のフレームと、相互接続された細長い部材のフレームによって互いに接続される上部棚および下部棚と、を備える。別の態様では、相互接続された細長い部材のフレームは、一組の左右の略垂直の細長い支持具ポストと、後方に向けられた一組の左右の細長いハンドルポストとを備える。左右の細長い支持具ポストは上端と下端とを有し、下端は下部棚の後面で棚の左右側面に取り付けられる。後方に向けられた一組の左右の細長いハンドルポストは、下部棚の洗面で棚の左右側面に取り付けられる。後方に向けられた一組の左右の細長いハンドルポストは、左右の細長い支持具ポストの上端に接続される。後方に向けられた一組の左右の細長いハンドルポストは、横ハンドル部材によって互いに接続された上端を有する。
【００１２】
別の好適な態様では、上部棚および下部棚は、用具を受け入れるために互いに垂直方向に位置合わせされた複数の対応開口部およびスロットを備える。別の態様では、上部棚がゴミ袋ホルダアセンブリを備えてもよい。
【００１３】
本発明のこれらのおよび他の形態は、以下の詳細な説明の考慮と添付の図面から明らかになるだろう。
【図面の簡単な説明】
【００１４】
【図１】本発明の園芸用ワゴンの第１の実施形態の斜視図であり、傘が略直立した位置にある状態を示す図である。
【図２】図１のゴミ袋ホルダ部分背面図である。
【図３】図１の園芸用ワゴンの後部を拡大した図である。
【図４】図１の園芸用ワゴンの斜視図であり、傘を位置方向に回転した状態を示す図である。
【図５】図１の園芸用ワゴンの斜視図であり、傘を別の方向に回転した状態を示す図である。
【図６】本発明の園芸用ワゴンの第２の実施形態の斜視図であり、延長位置にある前部ハンドルを有する本体を示す図である。
【図７】図６の園芸用ワゴンの変形例の斜視図であり、園芸用ワゴンを押すために後ろ向きにされたハンドルを有する本体を示す図である。
【図８】ハンドルおよび園芸用品とゴミ袋を保持するための部分を備えるモジュール式の上部フレームアセンブリの斜視図である。
【図９】園芸用ワゴンのモジュール式上部フレームアセンブリと本体を組み合わせた状態の斜視図であり、図１の園芸用ワゴンの本体上面に図８のモジュール式上部フレームアセンブリを載せた様子を示す図である。
【図１０】モジュール式上部フレームアセンブリと図９の園芸用ワゴン本体とを組み合わせた状態の正面斜視図である。
【発明を実施するための形態】
【００１５】
第１の実施形態において、図１ないし図５を参照すると、園芸用ワゴン１０は略長方形の本体１２を備える。本体は、前辺と側辺に沿って立ち上がった端２２を有する前部１４と後部１６、左側部１８および右側部２０、および底面２４を有する。本体は、例えば鋼またはアルミニウムなどの金属で形成されることが好ましいが、丈夫なプラスチックなどの他の材料が適している場合もある。本体の底は、例えばワイヤメッシュまたは格子で形成可能である複数の開口部２６を有することが好ましい。本体の底面には、通常一対の長手支持梁３０が溶接される。長手支持梁は、本体の底面から横方向に延び好適には長手支持梁に取り付けられ支持される車軸支持部３２を有する。園芸用ワゴンの本体の底面には、一対の前輪３６が回転可能に取り付けられた前輪軸３４と、一対の後輪４０が回転可能に取り付けられた後輪軸（図示せず）とが取り付けられる。前部プルバー４２は、通常は前輪軸にその一端が接続され、他端にはハンドル４４が取り付けられる。
【００１６】
本体の底面には後下部棚４６が配置される。本体の側辺の後部は、４本の管状柱が挿入される４つの管状取り付けスロット４８を備える。４本の管状柱は、２本の前部柱５２と２本の後部柱５４を含む。４本の柱の上端部５６は、通常それぞれが拡大した外部ショルダーすなわちフランジ５８を備えており、後上部棚６２の管状のコーナースロットを受け入れ支持する。後上部棚と後下部棚は、垂直方向に位置合わせされた複数の対応する開口部６４およびスロット６６を備えることが好ましく、これらが熊手６８、鍬７０、園芸用の鋤７２、鍬７４などの様々な用具のハンドルまたは他の部分を受け入れる。
【００１７】
図３を参照して、園芸用ワゴンは、上部折りたたみ式トレイ７６と下部折りたたみ式トレイ７８を備えてもよい。これらは、前部柱に枢動可能に取り付けられ、例えばポット、花のトレイ、鉢植えの花などの軽い荷物を保持するようにしてもよい。折りたたみ式トレイの各々は、上部ピボット８２で前部柱に枢動可能に取り付けられる長方形の支持上面８０と、トラス支持アームの中間９０にともに枢動可能に接続された上部リンク８６および下部リンク８８を有する少なくとも一つの折りたたみ式トラス支持アーム８４とを備えている。折りたたみ式トレイは、図１および３−５に示すような折りたたみ式トレイを水平方向に支持する延長構成と、トレイを折りたたんだ状態にする折りたたみ構成（図示せず）との間で移動可能である。支持アームの上部リンクはトレイの前部９８に枢動可能に接続された上端９６を備え、支持アームの下部リンクは、支持アームの対応する上部ピボットの下方で前部柱の一つに下部ピボット１０２で枢動可能に接続された下端１００を備える。
【００１８】
図２および図３を参照して、略長方形のゴミ袋取り付け部すなわちホルダ１０４が、園芸用ワゴンの後部柱の上部に取り付けられてもよい。ゴミ袋ホルダは、典型的に約５００ポンドの積載能力を有する。ゴミ袋ホルダは、後部柱の上部１０８に固定取り付けされる略長方形の下部フープ１０６を備えており、わずかに大きな長方形の枢動フープ１１０が、後部柱の上部に枢動可能に取り付けられる。ゴミ袋ホルダは、後上部棚の後面にブラケット１１２で取り付けられてもよい。より大きな枢動フープは、下部フープの上方に延びる図２に示す上昇位置１１４と、下部フープに隣接し近接した位置に延びる図１および３に示す下降位置１１５との間で移動可能である。したがって、上部フープを持ち上げて、ゴミ袋１１６の口の端を下部フープに合わせることができ、また上部フープを下ろしてゴミ袋の口の端を下部フープに固定して、ゴミ袋を開いた状態に保持してゴミ袋内の積荷の重量を支持することができる。
【００１９】
図１および３を参照して、上部シェード部１２０と下部支持柱１２２とを有する日傘１１８を管状柱の上端部に取り付けてもよい。有利には、日傘は自在継ぎ手すなわちピボット取り付け１２４を備える。調整ハンドル１２６は、継ぎ手すなわちピボットを緩めたり締めたりして、園芸用ワゴンから延び出すシェード部を、図１および図３に示す通常は直立の上昇位置１２８と、図４および図５に示す一つ以上の下降位置１３０、１３２との間で角度を調節する。
【００２０】
第２の好ましい実施形態において、図６ないし１０を参照して、園芸用ワゴン１４０は略長方形の本体１４２を備える。本体は、前部１４４および後部１４６と、側辺に沿って立ち上がった端１５２を持つ左側部１４８および右側部１５０と、上面１５３と底面１５４とを有する。本体は、例えば鋼またはアルミニウムなどの金属で形成されることが好ましいが、丈夫なプラスチックのような他の材料が適している場合もある。通常、一対の前輪１５８が回転可能に取り付けられる一対の前部自在ホイール支持部１５６と、一対の後輪１６２が回転可能に取り付けられる後輪軸１６０などの複数のホイール支持部が本体に取り付けられる。
【００２１】
図６に示すように、本体の下方に収納できるように、ハンドル１６６を有するプルバー１６４が本体の前端にスライド可能かつ枢動可能に取り付けられる。図７に示すように、第２の実施形態の変形例では、園芸用ワゴンの本体に、園芸用ワゴンを押すための後方に向けられたハンドル１７２を取り付けてもよい。後方に向けられたハンドルは、通常、本体の左右側面に接続された後方を向いた一対の左右側方に延びるハンドルポストを備え、ハンドルポストは、横ハンドル部材によって互いに接続された上端を有する。
【００２２】
図８ないし図１０を参照して、別の態様では、園芸用ワゴンの本体は、本体の上面に取り外し可能に置くことができるモジュール式のフレームアセンブリ１８０と組み合わせることができると有利である。モジュール式上部フレームアセンブリは、相互に接続された細長い部材１８３のフレーム１８２と、相互接続された細長い部材のフレームによって互いに接続された上部棚１８４および下部棚１８６を備える。相互接続された細長い部材のフレームは、通常、一対の左右の通常は垂直である細長い支持具ポスト１８８と、後方に向けられた一対の左右の細長いハンドルポスト１９０とを備える。左右の通常は垂直である細長い支持具ポストは、上端１９２と下端１９４とを有し、下端は下部棚の後面で棚の左右側面に取り付けられる。後方に向けられた一対の左右の細長いハンドルポストは、下部棚の前面で棚の左右側面に取り付けられる。後方に向けられた一対の左右の細長いハンドルポストは、上部棚の後部に直接に接続され、支持具１９５により間接的に接続され、また左右側面の通常は垂直である細長い支持具ポストの上端に接続される。後方に向けられた一対の左右の細長いハンドルポストの上端は、横ハンドル部材１９６によって通常互いに接続される。
【００２３】
図８ないし図１０に示すように、上部棚および下部棚は、用具２０２を取り外し可能に受け入れるために垂直方向に互いに位置合わせされた複数の対応する開口部２００を備えることが好ましい。上部棚は、ゴミ袋ホルダアセンブリ２０４を通常は備え、アセンブリは、ゴミ袋２１０を受け入れるためのゴミ袋容器フープ（図示せず）を内部に有するゴミ袋容器開口２０６を備える。ゴミ袋容器開口に隣接する位置２１４において、上部棚に枢動フープ２１２が枢動可能に取り付けられる。枢動フープは、通常、ゴミ袋容器フープよりも直径がわずかに大きく、ゴミ袋容器フープと協力してゴミ袋の一部をクランプする。
【００２４】
本発明の特定の形態について図示し説明してきたが、本発明の趣旨および範囲から逸脱することなく様々な修正をなしうることは、前述から明らかであろう。したがって、添付の特許請求の範囲によるもの以外に、本発明を限定することは意図されていない。
【図１】
2010531762.tif 000003
【図２】
2010531762.tif 000004
【図３】
2010531762.tif 000005
【図４】
2010531762.tif 000006
【図５】
2010531762.tif 000007
【図６】
2010531762.tif 000008
【図７】
2010531762.tif 000009
【図８】
2010531762.tif 000010
【図９】
2010531762.tif 000011
【図１０】
2010531762.tif 000012
【国際調査報告】
2010531762.tif 000013
2010531762.tif 000014
2010531762.tif 000015